(57)【要約】【課題】視認方向に制限されることなく潜像による真偽判別を容易に行う。【解決手段】潜像を形成する第１の凸部群を構成する複数の凸部１３がそれぞれ、シート基材２の平面部３に平行な任意の中心線にて分離される２つの領域のそれぞれで背景色領域１２と周期配色領域１１との面積が互いに異なるように形成され、背景を形成する第２の凸部群を構成する複数の凸部１４がそれぞれ、その中心線と平行な中心線にて分離される２つの領域のそれぞれで背景色領域１２と周期配色領域１１との面積が互いに異なり、かつ、その面積の大小関係が、凸部１３における中心線を介した同一方向側の領域に対して逆転するように形成されている。【選択図】図１
2008142959.tif 000002
【特許請求の範囲】
【請求項１】
基材表面に設けられた背景色領域と、
前記背景色領域とは異なる色を具備し、前記背景色領域上に行及び／または列を構成して一定周期で設けられた複数の周期配色領域と、
前記背景色領域の所定領域に、前記複数の周期配色領域の配列方向と並行して行及び／または列を構成し、前記基材表面に平行な任意の中心線にて分離される２つの領域のそれぞれで前記背景色領域と前記周期配色領域との面積が互いに異なるように前記一定周期で形成された複数の第１の凸部と、
前記背景色領域における前記所定領域以外の領域に、前記複数の周期配色領域の配列方向と並行し、かつ、前記複数の第１の凸部の行及び／または列に対してずれた行及び／または列を構成し、前記中心線と平行な中心線にて分離される２つの領域のそれぞれで前記背景色領域と前記周期配色領域との面積が互いに異なり、かつ、該面積の大小関係が、前記第１の凸部における前記中心線を介した同一方向側の領域に対して逆転するように前記一定周期で形成された複数の第２の凸部とを有する偽造防止媒体。
【発明の詳細な説明】
【技術分野】
【０００１】
本発明は、偽造防止シート等の偽造防止媒体に関し、特に、潜像を用いた偽造防止構造に関する。
【背景技術】
【０００２】
従来より、プリペイドカードや各種入場券、商品券や株券等の有価証券においては、広く流通しており比較的容易に換金可能である等の理由から、偽造犯罪が頻発している。特に、近年ではカラーコピー機等の複写機の性能向上と普及に伴い、簡単には真正品と見分けられない偽造品が比較的容易に製造可能になってきており、偽造に対する対策が求められている。また、上述したような有価証券に限らず、紙幣においても偽造に対する対策が求められている。
【０００３】
このような偽造に対する対策の１つとして、潜像を用いて有価証券や紙幣の真偽判別を可能とする技術が考えられており、例えば、特許文献１に開示されている。
【０００４】
特許文献１に開示された技術は、シート基材上に、複数本の印刷万線と、この印刷万線と並列し、一部が印刷万線と直交する方向に延在し、かつ、断面が隆起したレリーフ万線とを設け、視認方向によって潜像を浮かび上がらせるものである。基材を正面から見た場合は全ての印刷万線が視認可能な状態となっている。ところが、視認方向を印刷万線及びレリーフ万線と直交する方向に変化させていくと、印刷万線のうちレリーフ万線が延在した部分がその延在したレリーフ万線の陰となって視認できなくなる一方、印刷万線のその他の部分は視認可能な状態のままとなる。これにより、レリーフ万線の形状に応じた潜像を浮かび上がらせることができる。
【０００５】
このように断面が隆起したレリーフ万線を設けたシート基材においては、複写した場合、表面に印刷された印刷万線を含む印刷情報は複写されるものの、レリーフ万線の隆起形状までは再現できない。そのため、複写物の視認方向を変化させていった場合であっても、潜像は浮かび上がらず、それにより、真偽判別を行うことが可能となる。
【特許文献１】特開２０００−３１３１６１号公報
【発明の開示】
【発明が解決しようとする課題】
【０００６】
しかしながら、上述したように、シート基材上に、複数本の印刷万線と、この印刷万線と並列し、一部が印刷万線と直交する方向に延在し、かつ、断面が隆起したレリーフ万線とを設け、この印刷万線とレリーフ万線とで潜像を浮かび上がらせるものにおいては、印刷万線及びレリーフ万線と直交する方向から視認した場合にしか潜像が浮かび上がらず、潜像による真偽判別がしやすいとは言い難い。特に、視認方向が制限されている場合、潜像による真偽判別ができなくなる虞れがある。
【０００７】
本発明は、上述したような従来の技術が有する問題点に鑑みてなされたものであって、視認方向に制限されることなく潜像による真偽判別を容易に行うことができる偽造防止媒体を提供することを目的とする。
【課題を解決するための手段】
【０００８】
上記目的を達成するために本発明は、
基材表面に設けられた背景色領域と、
前記背景色領域とは異なる色を具備し、前記背景色領域上に行及び／または列を構成して一定周期で設けられた複数の周期配色領域と、
前記背景色領域の所定領域に、前記複数の周期配色領域の配列方向と並行して行及び／または列を構成し、前記基材表面に平行な任意の中心線にて分離される２つの領域のそれぞれで前記背景色領域と前記周期配色領域との面積が互いに異なるように前記一定周期で形成された複数の第１の凸部と、
前記背景色領域における前記所定領域以外の領域に、前記複数の周期配色領域の配列方向と並行し、かつ、前記複数の第１の凸部の行及び／または列に対してずれた行及び／または列を構成し、前記中心線と平行な中心線にて分離される２つの領域のそれぞれで前記背景色領域と前記周期配色領域との面積が互いに異なり、かつ、該面積の大小関係が、前記第１の凸部における前記中心線を介した同一方向側の領域に対して逆転するように前記一定周期で形成された複数の第２の凸部とを有する。
【０００９】
上記のように構成された本発明においては、基材を正面から視認した場合、基材表面の背景色領域に背景色領域とは異なる色で行及び／または列を構成して設けられた複数の周期配色領域が認識される。基材には複数の第１の凸部及び第２の凸部が形成されているが、基材を正面から視認した場合は、この第１の凸部及び第２の凸部の凸形状における頂部側から底部側に向かって視認することになるため、行及び／または列を構成した複数の周期配色領域が認識されるだけであり、潜像は浮かび上がって見えてこない。この状態から視認方向を基材表面に対して鋭角をなす方向に変化させていくと、基材に形成された複数の第１の凸部及び第２の凸部の視認方向側のみが見えるようになっていく。この際、複数の第１の凸部はそれぞれ、基材表面に平行な任意の中心線にて分離される２つの領域のそれぞれで背景色領域と周期配色領域との面積が互いに異なるように形成され、また、複数の第２の凸部はそれぞれ、第１の凸部の中心線と平行な中心線にて分離される２つの領域のそれぞれで背景色領域と周期配色領域との面積が互いに異なり、かつ、その面積の大小関係が、複数の第１の凸部における中心線を介した同一方向側の領域に対して逆転するように形成されているため、視認方向を基材表面に対して鋭角をなす方向に変化させていくと、第１の凸部と第２の凸部とでは、視認方向と直交する中心線を介して視認方向側となる領域における背景色領域と周期配色領域との面積の大小関係が逆転していることとなり、それにより、第１の凸部と第２の凸部とで背景色領域の色と周期配色領域の色とによって見える色が互いに異なり、この色の違いによって複数の第１の凸部または複数の第２の凸部による潜像が浮かび上がって見えるようになる。ここで、本発明においては、第１の凸部及び第２の凸部が、基材表面に平行な任意の中心線にて分離される２つの領域のそれぞれで背景色領域と周期配色領域との面積が互いに異なるように形成され、かつ、その面積の大小関係が中心線を介した同一方向側の領域において互いに逆転しているので、基材表面に対して鋭角をなすどの方向から視認した場合であっても、第１の凸部と第２の凸部とで背景色領域の色と周期配色領域の色とによって見える色が互いに異なり、その色の違いによって複数の第１の凸部または複数の第２の凸部による潜像が浮かび上がって見えるようになる。なおこの際、視認する方向によって、第１の凸部と第２の凸部のそれぞれにおいて中心線を介して視認方向側における背景色領域と周期配色領域との面積の大小関係が変化するため、浮かび上がる潜像と背景との色の関係が変化し、潜像を認識しやすくなる。
【発明の効果】
【００１０】
以上説明したように本発明においては、背景色領域にこの背景色領域とは色が異なる複数の周期配色領域が行及び／または列を構成して設けられ、この背景色領域の所定領域にて、複数の周期配色領域の配列方向と並行して行及び／または列を構成して形成された複数の第１の凸部のそれぞれが、基材表面に平行な任意の中心線にて分離される２つの領域のそれぞれで背景色領域と周期配色領域との面積が互いに異なり、また、背景色領域の所定領域以外の領域にて、複数の周期配色領域の配列方向と並行し、かつ複数の第１の凸部の行及び／または列に対してずれた行及び／または列を構成して形成された複数の第２の凸部のそれぞれが、第１の凸部の中心線と平行な中心線にて分離される２つの領域のそれぞれで背景色領域と周期配色領域との面積が互いに異なり、かつ、その面積の大小関係が、複数の第１の凸部における中心線を介した同一方向側の領域に対して逆転した構成としたため、基材表面に対して鋭角をなすどの方向から視認した場合であっても、第１の凸部と第２の凸部とで背景色領域の色と周期配色領域の色とによって見える色が互いに異なり、その色の違いによって複数の第１の凸部または複数の第２の凸部による潜像が浮かび上がって見えるようになり、視認方向に制限されることなく潜像による真偽判別を容易に行うことができる。また、視認する方向によって、第１の凸部と第２の凸部のそれぞれにおいて中心線を介して視認方向側における背景色領域と周期配色領域との面積の大小関係が変化するため、浮かび上がる潜像と背景との色の関係が変化し、潜像を認識しやすくなる。
【発明を実施するための最良の形態】
【００１１】
以下に、本発明の実施の形態について図面を参照して説明する。
【００１２】
図１は、本発明の偽造防止媒体の実施の一形態となる偽造防止シートを示す図であり、（ａ）は全体の構成を示す図、（ｂ）は（ａ）に示した偽造防止構造１０の詳細な構成を示す図、（ｃ）は(ｂ)に示したＸ−Ｘ’断面図、（ｄ）は（ｂ）に示した凸部１３の平面図、（ｅ）は（ｂ）に示した凸部１４の平面図、（ｆ）は（ｂ）に示した凸部１３の図中Ａ方向から見た斜視図、（ｇ）は（ｂ）に示した凸部１４の図中Ａ方向から見た斜視図である。
【００１３】
本形態の偽造防止シート１は図１に示すように、紙からなるシート基材２の一部の領域に偽造防止構造１０が設けられて構成されている。シート基材２は、基材表面となる平面部３を有し、この平面部３の一部の領域に情報印刷領域４が設けられるとともに、他の領域に偽造防止構造１０が設けられている。このように構成された偽造防止シート１は、例えば、コンサート等の入場チケットとして用いることが考えられる。その場合、コンサートの内容や会場名、座席番号等が情報印刷領域４に印刷されることになる。また、シート基材２の情報印刷領域４に情報が印刷される前に、シート基材２に対してプレ印刷として地紋を印刷したり所定の色に着色したりすることも考えられるが、その場合、偽造防止構造１０による潜像が見にくくならないようにする必要がある。
【００１４】
シート基材２に設けられた偽造防止構造１０には、図１（ｂ）に示すように、シート基材２の平面部３のベース色と同一の白色からなる背景色領域１２上に、背景色領域１２とは異なる黒色からなる複数の周期配色領域１１が設けられている。この複数の周期配色領域１１は、背景色領域１２上に行及び列を構成して一定周期で設けられることによりマトリックス状となっている。
【００１５】
複数の周期配色領域１１がマトリックス状に設けられた領域には、第１の凸部群を構成する複数の第１の凸部１３と、第２の凸部群を構成する複数の第２の凸部１４とが形成されている。これら凸部１３，１４は図１（ｃ），（ｆ），（ｇ）に示すように、円錐から頂点の部分が取り除かれた形状であって、シート基材２をエンボス版等で平面部３側から０．０５〜０．１ｍｍ程度窪ませることにより側面１３ａ，１４ａが形成され、平面部３との同一面が頂部１３ｂ，１４ｂとなっている。そして、この頂部１３ｂ，１４ｂからシート基材の窪み方向に向かうに従ってその断面積が徐々に広くなり、凸部１３，１４の底部においては、直径が０．５ｍｍ以下の円形状となっている。
【００１６】
第１の凸部群を構成する第１の凸部１３は、第１の凸部群の形状によって潜像となる「Ｔ」の字を表現するように背景色領域１２の所定領域に形成されている。また、この凸部１３は、複数の周期配色領域１１と同じ周期で形成されており、「Ｔ」の字を形成するための行及び列の方向は、複数の周期配色領域１１の配列方向と並行しているが、その行及び列は、複数の周期配色領域１１の行及び列に対してずれている。それにより、図１（ｃ）に示すように、シート基材２の表面に平行な中心線にて分離された場合における一方の領域においては、周期配色領域１１の面積が背景色領域１２の面積よりも大きく、また、他方の領域においては、背景色領域１２の面積が周期配色領域１１の面積よりも大きいという、中心線にて分離される２つの領域のそれぞれで周期配色領域１１と背景色領域１２との面積が互いに異なるようになっている。なお、図１（ｃ）においては、図１（ｂ）中Ａ方向から凸部１３を視認した場合の視認方向に直交する中心線を図示しているが、この中心線はシート基材２の表面に平行であれば凸部１３にて任意に設定でき、凸部１３は、その任意に設定された中心線にて分離される２つの領域のそれぞれで周期配色領域１１と背景色領域１２との面積が互いに異なるようになっている。
【００１７】
また、第２の凸部群を構成する複数の凸部１４は、背景色領域１２にて第１の凸部群を構成する複数の凸部１３が形成された領域を取り囲むように形成されている。また、この凸部１４は、複数の周期配色領域１１と同じ周期で形成されており、その行及び列の方向は、複数の周期配色領域１１の配列方向と並行しているが、その行及び列は、複数の周期配色領域１１の行及び列に対してずれている。それにより、図１（ｄ）に示すように、シート基材２の表面に平行な中心線にて分離された場合における一方の領域においては、背景色領域１２の面積が周期配色領域１１の面積よりも大きく、また、他方の領域においては、周期配色領域１１の面積が背景色領域１２の面積よりも大きいという、中心線にて分離される２つの領域のそれぞれで周期配色領域１１と背景色領域１２との面積が互いに異なるようになっている。なお、図１（ｄ）においては、図１（ｂ）中Ａ方向から凸部１４を視認した場合の視認方向に直交する中心線を図示しているが、この中心線はシート基材２の表面に平行であれば凸部１４にて任意に設定でき、凸部１４は、その任意に設定された中心線にて分離される２つの領域のそれぞれで周期配色領域１１と背景色領域１２との面積が互いに異なるようになっている。また、複数の凸部１４の行及び列は、複数の凸部１３の行及び列に対してもずれている。
【００１８】
このように構成された複数の凸部１３，１４は、図１（ｃ），（ｄ）に示すように、互いに平行となる中心線を介した同一方向側の領域では、凸部１３と凸部１４とで、周期配色領域１１と背景色領域１２との面積の大小関係が逆転している。具体的には、凸部１３の中心線を介して図中左上側の領域においては、図１（ｃ）に示すように周期配色領域１１の面積が背景色領域１２の面積よりも大きく、凸部１４の中心線を介して図中左上側の領域においては、図１（ｄ）に示すように背景色領域１２の面積が周期配色領域１１の面積よりも大きくなっており、また、凸部１３の中心線を介して図中右下側の領域においては、図１（ｃ）に示すように背景色領域１２の面積が周期配色領域１１の面積よりも大きく、凸部１４の中心線を介して図中右下側の領域においては、図１（ｄ）に示すように周期配色領域１１の面積が背景色領域１２の面積よりも大きくなっている。
【００１９】
なお、本形態にて図示する偽造防止構造１０は、説明を簡単にするために１００個の周期配色領域１１が１０×１０のマトリックス状に形成されたものであるが、その数を多くすればするほど、この偽造防止構造１０によって浮き上がらせることができる潜像となる文字を精細なものとすることができ、曲線等を表現しやすくなる。
【００２０】
以下に、上記のように構成された偽造防止シート１の製造方法について説明する。
【００２１】
まず、シート基材２の偽造防止構造１０が設けられる領域、すなわち、白色の背景色領域１２となる領域に、１００個の周期配色領域１１を１０×１０のマトリックス状に黒色で印刷する。なお、この周期配色領域１１の印刷は、上述したようなプレ印刷と同時に行ってもよいし、上述したプレ印刷を行った後に行ってもよい。
【００２２】
次に、周期配色領域１１が印刷された領域に、シート基材２の平面部３側からエンボス版を押し付けることによって第１の凸部群を構成する凸部１３と、第２の凸部群を構成する凸部１４とを形成する。第１の凸部群を構成する凸部１３は、周期配色領域１１が印刷された領域のうち、潜像となる「Ｔ」を形成する所定領域にて複数の周期配色領域１１と同じ周期で、複数の周期配色領域１１の配列方向と並行し、かつ、複数の周期配色領域１１の行及び列に対してずれた行及び列を構成するように形成する。また、第２の凸部群を構成する凸部１４は、周期配色領域１１が印刷された領域のうち、第１の凸部群を構成する複数の凸部１３が形成された領域を取り囲むように、複数の周期配色領域１１と同じ周期で、複数の周期配色領域１１の配列方向と並行し、かつ、複数の周期配色領域１１、並びに複数の凸部１３の行及び列に対してずれた行及び列を構成するように形成する。このような凸部１３，１４は、凸部１３が複数の周期配色領域１１間に配置され、凸部１４が複数の周期配色領域１１上に配置されるようなエンボス版を、シート基材２に対して、複数の凸部１３，１４の行及び列と周期配色領域１１の行及び列とが互いに平行となりながらずれるようにずらすことにより形成することが考えられる。
【００２３】
上述したようにして偽造防止シート１が製造され、その後、用途に応じた情報がシート基材２の情報印刷領域４に印刷されて使用されることになる。
【００２４】
以下に、上述した偽造防止シート１の作用について説明する。
【００２５】
まず、図１に示した偽造防止シート１を正面、すなわち、シート基材２の平面部３の法線方向から視認した場合の作用について説明する。
【００２６】
図２は、図１に示した偽造防止シート１を正面から視認した場合の作用を説明するための図であり、偽造防止構造１０の見え方を示す。
【００２７】
図１に示した偽造防止シート１を、正面、すなわち平面部３の法線方向から視認した場合、図２に示すように、偽造防止構造１０においては、背景色領域１２が白色であるのに対してこの背景色領域１２にマトリックス状に設けられた複数の周期配色領域１１が黒色であることから、マトリックス状の複数の周期配色領域１１が認識される。この際、シート基材２には、複数の凸部１３，１４が形成されているが、偽造防止シート１を正面から視認した場合は、この凸部１３，１４の頂部１３ｂ，１４ｂ側から底部側に向かって視認することになるため、凸部１３，１４が認識されにくく、複数の周期配色領域１１がマトリックス状に認識されるだけとなり、潜像「Ｔ」は浮かび上がって見えてこない。
【００２８】
次に、図１に示した偽造防止シート１に対する視認方向を正面、すなわち、シート基材２の平面部３の法線方向から変化させていった場合の作用について説明する。
【００２９】
図３は、図１に示した偽造防止シート１に対する視認方向を正面から変化させていった場合の作用を説明するための図であり、（ａ）は図１（ｂ）中Ａ方向から視認した場合の凸部１３の状態を示す図、（ｂ）は図１（ｂ）中Ａ方向から視認した場合の凸部１４の状態を示す図、（ｃ）は図１（ｂ）中Ａ方向から視認した場合の偽造防止構造１０全体の見え方を示す図、（ｄ）は図１（ｂ）中Ｂ方向から視認した場合の凸部１３の状態を示す図、（ｅ）は図１（ｂ）中Ｂ方向から視認した場合の凸部１４の状態を示す図、（ｆ）は図１（ｂ）中Ｂ方向から視認した場合の偽造防止構造１０全体の見え方を示す図である。なお、図３においては、本形態における作用をわかりやすくするために凸部１３，１４以外の領域における周期配色領域１１及び背景色領域１２の記載を省略している。
【００３０】
図１に示した偽造防止シート１に対する視認方向を正面から図１（ｂ）中Ａ方向に変化させていくと、複数の凸部１３，１４のそれぞれの視認方向側、すなわち図１（ｂ）中Ａ側の側面１３ａ，１４ａと頂部１３ｂ，１４ｂのみが見えるようになっていく。すると、図１（ｃ）に示したように、複数の凸部１３においては、図１（ｂ）中Ａ方向から視認した場合の視認方向に直交する中心線にて分離された場合に視認方向側となる領域においては、周期配色領域１１の面積が背景色領域１２の面積よりも大きく、また、図１（ｄ）に示したように、複数の凸部１４においては、図１（ｂ）中Ａ方向から視認した場合の視認方向に直交する中心線にて分離された場合に視認方向側となる領域においては、背景色領域１２の面積が周期配色領域１１の面積よりも大きいため、図３（ａ），（ｂ）に示すように、凸部１３と凸部１４とでは、視認方向側の全体において周期配色領域１１の色と背景色領域１２の色とによって見える色が互いに異なることになる。具体的には、凸部１３を図１（ｂ）中Ａ方向から視認した場合は、黒色からなる周期配色領域１１の面積が白色からなる背景色領域１２の面積よりも大きいことから濃い灰色に見え、凸部１４を図１（ｂ）中Ａ方向から視認した場合は、白色からなる背景色領域１２の面積が黒色からなる周期配色領域１１の面積よりも大きいことから淡い灰色に見えることになる。
【００３１】
それにより、図３（ｃ）に示すように、偽造防止構造１０の全体としては、図１（ｂ）中Ａ方向から視認した場合、複数の凸部１４による淡い灰色の背景の中に、複数の凸部１３による濃い灰色の潜像「Ｔ」が浮かび上がって見えるようになる。
【００３２】
また、図１に示した偽造防止シート１に対する視認方向を正面から図１（ｂ）中Ｂ方向に変化させていくと、複数の凸部１３，１４のそれぞれの視認方向側、すなわち図１（ｂ）中Ｂ側の側面１３ａ，１４ａと頂部１３ｂ，１４ｂのみが見えるようになっていく。すると、図１（ｃ）に示したように複数の凸部１３においては、図１（ｂ）中Ｂ方向から視認した場合の視認方向に直交する中心線にて分離された場合に視認方向側の領域においては、背景色領域１２の面積が周期配色領域１１の面積よりも大きく、また、図１（ｄ）に示したように複数の凸部１４においては、図１（ｂ）中Ｂ方向から視認した場合の視認方向に直交する中心線にて分離された場合に視認方向側の領域においては、周期配色領域１１の面積が背景色領域１２の面積よりも大きいため、図３（ｄ），（ｅ）に示すように、凸部１３と凸部１４とでは、視認方向側の全体において周期配色領域１１の色と背景色領域１２の色とによって見える色が互いに異なることになる。具体的には、凸部１３を図１（ｂ）中Ｂ方向から視認した場合は、白色からなる背景色領域１２の面積が黒色からなる周期配色領域１１の面積よりも大きいことから淡い灰色に見え、凸部１４を図１（ｂ）中Ｂ方向から視認した場合は、黒色からなる周期配色領域１１の面積が白色からなる背景色領域１２の面積よりも大きいことから濃い灰色に見えることになる。
【００３３】
それにより、図３（ｆ）に示すように、偽造防止構造１０の全体としては、図１（ｂ）中Ｂ方向から視認した場合、複数の凸部１４による濃い灰色の背景の中に、複数の凸部１３による淡い灰色の潜像「Ｔ」が浮かび上がって見えるようになる。
【００３４】
以上、図１に示した偽造防止構造１０を図１（ｂ）中Ａ方向及びＢ方向から視認した場合について説明したが、上述したように、凸部１３，１４は、平面部３に平行な任意の中心線にて分離される２つの領域のそれぞれで周期配色領域１１と背景色領域１２との面積が互いに異なるように形成され、かつ、凸部１３と凸部１４とでは、その面積の大小関係が中心線を介した同一方向側の領域において互いに逆転しているので、偽造防止構造１０を平面部３に対して鋭角をなすどの方向から視認した場合であっても、凸部１３と凸部１４とでは、背景色領域１２の色と周期配色領域１１の色とによって見える色が互いに異なり、その違いによって、潜像が浮かび上がって見えるようになる。また、上述したように、視認する方向によって、凸部１３，１４のそれぞれにおいて中心線を介して視認方向側における背景色領域１２と周期配色領域１１との面積の大小関係が変化するため、浮かび上がる潜像と背景との色の関係が変化し、潜像を認識しやすくなる。
【００３５】
上述した偽造防止シート１は、複写した場合、シート基材２の情報印刷領域４に印刷された情報や、シート基材２に印刷によりマトリックス状に設けられた周期配色領域１１は複写されるものの、凸部１３，１４までは再現できない。そのため、複写物の視認方向を変えていった場合であっても、複数の凸部１３からなる第１の凸部群による潜像は浮かび上がらず、それにより、真偽判別を行うことが可能となる。このように真偽判別を行う際、本形態の偽造防止シート１においては、偽造防止シート１に対する視認方向をシート基材２の平面部３の法線方向からどの方向に変化させていった場合であっても、複数の凸部１３からなる第１の凸部群による潜像が浮かび上がって見えるため、視認方向に制限されることなく潜像による真偽判別を容易に行うことができる。なお、偽造防止シート１に対する視認方向によっては、凸部１３と凸部１４とで背景色領域１２の色と周期配色領域１１の色とによって見える色の差があまりない場合が生じるが、その視認方向は一部であるため、それによって偽造防止機能を失うことはない。また、凸部１３，１４が、シート基材２の平面部３を窪ませることによって形成されているため、シート基材２を表裏から見た場合や、直接触れた場合において、凸部１３，１４が認識されにくく、凸部１３，１４が再現しにくいものとなり、偽造防止機能を向上させることができる。
【００３６】
（他の実施の形態）
図４は、本発明の偽造防止媒体の他の実施の形態となる偽造防止シートを示す図であり、（ａ）は全体の構成を示す図、（ｂ）は（ａ）に示した偽造防止構造１１０の詳細な構成を示す図、（ｃ）は（ｂ）に示した凸部１１３の平面図、（ｄ）は（ｂ）に示した凸部１１４の平面図、（ｅ）は（ｂ）に示した凸部１１３の図中Ａ方向から見た斜視図、（ｆ）は（ｂ）に示した凸部１１４の図中Ａ方向から見た斜視図である。
【００３７】
本形態は図４に示すように、図１に示したものに対して、シート基材１０２の偽造防止構造１１０となる領域に黒色で背景色領域１１２が設けられ、この背景色領域１１２に白色の周期配色領域１１１がマトリックス状に設けられている点のみが異なるものである。すなわち、図１に示したものに対して、背景色領域１１２の色と周期配色領域１１１の色とが反転しているものである。
【００３８】
上記のように構成された偽造防止シート１０１においては、正面から見た場合は、黒色の背景色領域１１２にマトリックス状に設けられた周期配色領域１１１が白色で認識されるだけで潜像「Ｔ」は認識されない。そして、偽造防止シート１０１に対する視認方向を正面から例えば図４（ｂ）中Ａ方向に変化させていくと、複数の凸部１１３，１１４のそれぞれの視認方向側、すなわち図４（ｂ）中Ａ側の側面１１３ａ，１１４ａと頂部１１３ｂ，１１４ｂのみが見えるようになっていく。すると、図４（ｃ）に示すように、複数の凸部１１３においては、図４（ｂ）中Ａ方向から視認した場合の視認方向に直交する中心線にて分離された場合に視認方向側となる領域においては、周期配色領域１１１の面積が背景色領域１１２の面積よりも大きく、また、図４（ｄ）に示すように、複数の凸部１１４においては、図４（ｂ）中Ａ方向から視認した場合の視認方向に直交する中心線にて分離された場合に視認方向側となる領域においては、背景色領域１１２の面積が周期配色領域１１１の面積よりも大きいため、図４（ｅ），（ｆ）に示すように、凸部１１３と凸部１１４とでは、視認方向側の全体において周期配色領域１１１の色と背景色領域１１２の色とによって見える色が互いに異なることになる。具体的には、凸部１１３を図４（ｂ）中Ａ方向から視認した場合は、白色からなる周期配色領域１１１の面積が黒色からなる背景色領域１１２の面積よりも大きいことから淡い灰色に見え、凸部１１４を図４（ｂ）中Ａ方向から視認した場合は、黒色からなる背景色領域１１２の面積が白色からなる周期配色領域１１１の面積よりも大きいことから濃い灰色に見えることになる。それにより、偽造防止構造１１０の全体としては、図４（ｂ）中Ａ方向から視認した場合、複数の凸部１１４による濃い灰色の背景の中に、複数の凸部１１３による淡い灰色の潜像「Ｔ」が浮かび上がって見えるようになる。
【００３９】
図５は、本発明の偽造防止媒体の他の実施の形態となる偽造防止シートを示す図であり、（ａ）は全体の構成を示す図、（ｂ）は（ａ）に示した偽造防止構造２１０の詳細な構成を示す図、（ｃ）は（ｂ）に示した凸部２１３の平面図、（ｄ）は（ｂ）に示した凸部２１４の平面図、（ｅ）は（ｂ）に示した凸部２１３の図中Ａ方向から見た斜視図、（ｆ）は（ｂ）に示した凸部２１４の図中Ａ方向から見た斜視図である。
【００４０】
本形態は図５に示すように、図１に示したものに対して、シート基材２０２にマトリックス状に設けられた周期配色領域２１１の大きさが、凸部２１３，２１４の頂部２１３ｂ，２１４ｂよりも小さな点のみが異なるものである。
【００４１】
上記のように構成された偽造防止シート２０１においては、正面から見た場合は、白色の背景色領域２１２にマトリックス状に設けられた周期配色領域２１１が黒色で認識されるだけで潜像「Ｔ」は認識されない。そして、偽造防止シート２０１に対する視認方向を正面から例えば図５（ｂ）中Ａ方向に変化させていくと、複数の凸部２１３，２１４のそれぞれの視認方向側、すなわち図５（ｂ）中Ａ側の側面２１３ａ，２１４ａと頂部２１３ｂ，２１４ｂのみが見えるようになっていく。すると、図５（ｃ）に示すように、複数の凸部２１３においては、図５（ｂ）中Ａ方向から視認した場合の視認方向に直交する中心線にて分離された場合に視認方向側となる領域においては、周期配色領域２１１の面積が背景色領域２１２の面積よりも大きく、また、図５（ｄ）に示すように、複数の凸部２１４においては、図５（ｂ）中Ａ方向から視認した場合の視認方向に直交する中心線にて分離された場合に視認方向側となる領域においては、背景色領域２１２のみを含むため、図５（ｅ），（ｆ）に示すように、凸部２１３と凸部２１４とでは、視認方向側の全体において周期配色領域２１１の色と背景色領域２１２の色とによって見える色が互いに異なることになる。具体的には、凸部２１３を図５（ｂ）中Ａ方向から視認した場合は、黒色からなる周期配色領域２１１の面積が白色からなる背景色領域２１２の面積よりも大きいことから濃い灰色に見え、凸部２１４を図５（ｂ）中Ａ方向から視認した場合は、中心線を介して視認方向側の領域が白色からなる背景色領域２１２のみを含み、頂部２１４ｂの一部が黒色からなる周期配色領域２１１であることから淡い灰色に見えることになる。それにより、偽造防止構造２１０の全体としては、図５（ｂ）中Ａ方向から視認した場合、複数の凸部２１４による淡い灰色の背景の中に、複数の凸部２１３による濃い灰色の潜像「Ｔ」が浮かび上がって見えるようになる。
【００４２】
図６は、本発明の偽造防止媒体の他の実施の形態となる偽造防止シートを示す図であり、（ａ）は全体の構成を示す図、（ｂ）は（ａ）に示した偽造防止構造３１０の詳細な構成を示す図、（ｃ）は（ｂ）に示した凸部３１３の平面図、（ｄ）は（ｂ）に示した凸部３１４の平面図、（ｅ）は（ｂ）に示した凸部３１３の図中Ａ方向から見た斜視図、（ｆ）は（ｂ）に示した凸部３１４の図中Ａ方向から見た斜視図である。
【００４３】
本形態は図６に示すように、図５に示したものに対して、シート基材３０２の偽造防止構造３１０となる領域に黒色で背景色領域３１２が設けられ、この背景色領域３１２に白色の周期配色領域３１１がマトリックス状に設けられている点のみが異なるものである。すなわち、図５に示したものに対して、背景色領域３１２の色と周期配色領域３１１の色とが反転しているものである。
【００４４】
上記のように構成された偽造防止シート３０１においては、正面から見た場合は、黒色の背景色領域３１２にマトリックス状に設けられた周期配色領域３１１が白色で認識されるだけで潜像「Ｔ」は認識されない。そして、偽造防止シート３０１に対する視認方向を正面から例えば図６（ｂ）中Ａ方向に変化させていくと、複数の凸部３１３，３１４のそれぞれの視認方向側、すなわち図６（ｂ）中Ａ側の側面３１３ａ，３１４ａと頂部３１３ｂ，３１４ｂのみが見えるようになっていく。すると、図６（ｃ）に示すように、複数の凸部３１３においては、図６（ｂ）中Ａ方向から視認した場合の視認方向に直交する中心線にて分離された場合に視認方向側となる領域においては、周期配色領域３１１の面積が背景色領域３１２の面積よりも大きく、また、図６（ｄ）に示すように、複数の凸部３１４においては、図６（ｂ）中Ａ方向から視認した場合の視認方向に直交する中心線にて分離された場合に視認方向側となる領域においては、背景色領域３１２のみを含むため、図６（ｅ），（ｆ）に示すように、凸部３１３と凸部３１４とでは、視認方向側の全体において周期配色領域３１１の色と背景色領域３１２の色とによって見える色が互いに異なることになる。具体的には、凸部３１３を図６（ｂ）中Ａ方向から視認した場合は、白色からなる周期配色領域３１１の面積が黒色からなる背景色領域３１２の面積よりも大きいことから淡い灰色に見え、凸部３１４を図６（ｂ）中Ａ方向から視認した場合は、中心線を介して視認方向側の領域が黒からなる背景色領域３１２のみを含み、頂部３１４ｂの一部が白色からなる周期配色領域３１１であることから濃い灰色に見えることになる。それにより、偽造防止構造３１０の全体としては、図６（ｂ）中Ａ方向から視認した場合、複数の凸部３１４による濃い灰色の背景の中に、複数の凸部３１３による淡い灰色の潜像「Ｔ」が浮かび上がって見えるようになる。
【００４５】
なお、上述した実施の形態における凸部１３，１４，１１３，１１４，２１３，２１４，３１３，３１４の平面部３，１０３，２０３，３０３からの高さや平面部３，１０３，２０３，３０３との境界部分の寸法については、上述したものに限らず、適宜設定が可能である。
【００４６】
また、凸部１３，１４，１１３，１１４，２１３，２１４，３１３，３１４においては、円柱形のものや頂部１３ｂ，１４ｂ，１１３ｂ，１１４ｂ，２１３ｂ，２１４ｂ，３１３ｂ，３１４ｂがない円錐形のものやドーム型のものとすることも考えられる。また、断面が矩形状となるものとすることも考えられる。また、シート基材２の平面部３を窪ませることによって形成されるものに限らず、シート基材２の平面部３から平面部３の法線方向に突出したものであってもよい。
【００４７】
また、潜像となる情報は、上述した「Ｔ」のように複数の凸部１３，１１３，２１３，３１３が行及び列を構成したものに限らず、複数の凸部１３，１１３，２１３，３１３が行のみを構成しただけ、あるいは列のみを構成しただけのものであってもよい。また、一文字からなるものに限らず、複数の文字からなるものや模様等であってもよい。また、潜像を表現する第１の凸部群を構成する複数の凸部１３，１１３，２１３，３１３を複数の領域に分割し、その複数の領域毎に文字等が浮かび上がる構成とすることも考えられる。また、第２の凸部群を構成する複数の凸部１４，１１４，２１４，３１４が、背景色領域１２，１１２，２１２，３１２にて第１の凸部群を構成する複数の凸部１３，１１３，２１３，３１３が形成された領域を完全に取り囲むのではなく、一部が開放されるようにして、第２の凸部群を構成する複数の凸部１４，１１４，２１４，３１４が、第１の凸部群を構成する複数の凸部１３，１１３，２１３，３１３が形成された領域を囲むような形状であってもよい。
【００４８】
また、上述した実施の形態においては、第１の凸部群を構成する複数の凸部１３，１１３，２１３，３１３及び第２の凸部群を構成する複数の凸部１４，１１４，２１４，３１４が、複数の周期配色領域１１，１１１，２１１，３１１の配列方向と並行して行及び列を構成しているが、第１の凸部群を構成する複数の凸部１３，１１３，２１３，３１３及び第２の凸部群を構成する複数の凸部１４，１１４，２１４，３１４が構成する行及び列の方向が、複数の周期配色領域１１，１１１，２１１，３１１の配列方向に対して若干の角度を有するものであってもよい。
【００４９】
また、上述した実施の形態においては、偽造防止媒体として、紙からなるシート基材２，１０２，２０２，３０２に偽造防止構造１０，１１０，２１０，３１０が設けられた偽造防止シート１，１０１，２０１，３０１を例に挙げて説明したが、本発明はこのような偽造防止シート１，１０１，２０１，３０１に限らず、フィルムからなるシート基材や複数の樹脂層が積層されてなるカード基材に上述したような偽造防止構造１０，１１０，２１０，３１０を設けたものにも適用することが可能である。
【図面の簡単な説明】
【００５０】
【図１】本発明の偽造防止媒体の実施の一形態となる偽造防止シートを示す図であり、（ａ）は全体の構成を示す図、（ｂ）は（ａ）に示した偽造防止構造の詳細な構成を示す図、（ｃ）は(ｂ)に示したＸ−Ｘ’断面図、（ｄ）は（ｂ）に示した凸部の平面図、（ｅ）は（ｂ）に示した凸部の平面図、（ｆ）は（ｂ）に示した凸部の図中Ａ方向から見た斜視図、（ｇ）は（ｂ）に示した凸部の図中Ａ方向から見た斜視図である。
【図２】図１に示した偽造防止シートを正面から視認した場合の作用を説明するための図である。
【図３】図１に示した偽造防止シートに対する視認方向を正面から変化させていった場合の作用を説明するための図であり、（ａ）は図１（ｂ）中Ａ方向から視認した場合の凸部の状態を示す図、（ｂ）は図１（ｂ）中Ａ方向から視認した場合の凸部の状態を示す図、（ｃ）は図１（ｂ）中Ａ方向から視認した場合の偽造防止構造全体の見え方を示す図、（ｄ）は図１（ｂ）中Ｂ方向から視認した場合の凸部の状態を示す図、（ｅ）は図１（ｂ）中Ｂ方向から視認した場合の凸部の状態を示す図、（ｆ）は図１（ｂ）中Ｂ方向から視認した場合の偽造防止構造全体の見え方を示す図である。
【図４】本発明の偽造防止媒体の他の実施の形態となる偽造防止シートを示す図であり、（ａ）は全体の構成を示す図、（ｂ）は（ａ）に示した偽造防止構造の詳細な構成を示す図、（ｃ）は（ｂ）に示した凸部の平面図、（ｄ）は（ｂ）に示した凸部の平面図、（ｅ）は（ｂ）に示した凸部の図中Ａ方向から見た斜視図、（ｆ）は（ｂ）に示した凸部の図中Ａ方向から見た斜視図である。
【図５】本発明の偽造防止媒体の他の実施の形態となる偽造防止シートを示す図であり、（ａ）は全体の構成を示す図、（ｂ）は（ａ）に示した偽造防止構造の詳細な構成を示す図、（ｃ）は（ｂ）に示した凸部の平面図、（ｄ）は（ｂ）に示した凸部の平面図、（ｅ）は（ｂ）に示した凸部の図中Ａ方向から見た斜視図、（ｆ）は（ｂ）に示した凸部の図中Ａ方向から見た斜視図である。
【図６】本発明の偽造防止媒体の他の実施の形態となる偽造防止シートを示す図であり、（ａ）は全体の構成を示す図、（ｂ）は（ａ）に示した偽造防止構造の詳細な構成を示す図、（ｃ）は（ｂ）に示した凸部の平面図、（ｄ）は（ｂ）に示した凸部の平面図、（ｅ）は（ｂ）に示した凸部の図中Ａ方向から見た斜視図、（ｆ）は（ｂ）に示した凸部の図中Ａ方向から見た斜視図である。
【符号の説明】
【００５１】
１，１０１，２０１，３０１    偽造防止シート
２，１０２，２０２，３０２    シート基材
３，１０３，２０３，３０３    平面部
４，１０４，２０４，３０４    情報印刷領域
１０，１１０，２１０，３１０    偽造防止構造
１１，１１１，２１１，３１１    周期配色領域
１２，１１２，２１２，３１２    背景色領域
１３，１４，１１３，１１４，２１３，２１４，３１３，３１４    凸部
１３ａ，１４ａ，１１３ａ，１１４ａ，２１３ａ，２１４ａ，３１３ａ，３１４ａ    側面
１３ｂ，１４ｂ，１１３ｂ，１１４ｂ，２１３ｂ，２１４ｂ，３１３ｂ，３１４ｂ    頂部
【図１】
2008142959.tif 000003
【図２】
2008142959.tif 000004
【図３】
2008142959.tif 000005
【図４】
2008142959.tif 000006
【図５】
2008142959.tif 000007
【図６】
2008142959.tif 000008